(57)【要約】【課題】部品の種類数の増大を抑えながら、アース部材と一対の端子金具の位置関係を複数の形態に設定できるようにする。【解決手段】フィルタ素子内蔵コネクタＡ１，Ａ２，Ａ３は、底壁部１２と、底壁部１２から立ち上がる周壁部１３を有するハウジング１０と、ハウジング１０内に収容されたコイル２６（フィルタ素子）及びコンデンサ３０（フィルタ素子）と、コイル２６及びコンデンサ３０に接続された一対の端子金具２０と、コンデンサ３０に接続されたアース部材２３とを備え、周壁部１３には、一対の端子金具２０を選択的に取り付けることが可能な取付孔１９ＦＬ，１９ＦＲ，１９Ｒ（取付部）が、少なくとも３箇所に形成されている。【選択図】図１
2015211310.tif 000002
【特許請求の範囲】
【請求項１】
底壁部と、前記底壁部から立ち上がる周壁部を有するハウジングと、
前記ハウジング内に収容されたフィルタ素子と、
前記フィルタ素子に接続された一対の端子金具と、
前記フィルタ素子に接続されたアース部材とを備えたフィルタ素子内蔵コネクタであって、
前記周壁部には、前記一対の端子金具を選択的に取り付けることが可能な取付部が、少なくとも３箇所に形成されていることを特徴とするフィルタ素子内蔵コネクタ。
【請求項２】
前記アース部材が、前記取付部に対して選択的に取り付け可能とされていることを特徴とする請求項１記載のフィルタ素子内蔵コネクタ。
【請求項３】
前記フィルタ素子が、コイルと一対のコンデンサとによって構成され、
前記アース部材が、前記コンデンサのリード線に接続されるアース側接続部を有しており、
前記ハウジング内を前記コイルの軸線を境として２つの収容空間に分割したときに、前記一対のコンデンサが前記アース側接続部と同じ側の前記収容空間内に配されていることを特徴とする請求項１又は請求項２記載のフィルタ素子内蔵コネクタ。
【請求項４】
前記フィルタ素子が、前記アース部材に接続されるコンデンサを有し、
前記アース部材が、前記コンデンサのリード線と接続可能であって、前記底壁部に沿うように配された板状をなすアース側接続部を有しており、
前記アース側接続部の周縁部の少なくとも一部が、前記コイルの形成領域の外部に張り出した形態となっていることを特徴とする請求項１又は請求項２記載のフィルタ素子内蔵コネクタ。
【発明の詳細な説明】
【技術分野】
【０００１】
本発明は、フィルタ素子内蔵コネクタに関するものである。
【背景技術】
【０００２】
特許文献１には、ハウジングに一対の端子金具とアース部材を取り付け、ハウジング内に収容したフィルタ素子を端子金具とアース部材に接続した形態のフィルタ素子内蔵型コネクタが開示されている。このフィルタ素子内蔵型コネクタは、端子金具にワイヤーハーネス等の回路を接続し、アース部材を自動車のボディ等に接地することで、回路のノイズを除去するようになっている。
【先行技術文献】
【特許文献】
【０００３】
【特許文献１】特許第４５２４３１８号公報
【発明の概要】
【発明が解決しようとする課題】
【０００４】
上記のフィルタ素子内蔵型コネクタは、一対の端子金具とアース部材がいずれもハウジングに固定されている。そのため、一対の端子金具とアース部材との位置関係や、一対の端子金具相互間の位置関係も一定である。そのため、例えば、一対の端子金具が接続される回路と、アース部材が接続される接地部との位置関係が複数形態ある場合には、各形態に合うように、形状の異なる複数種類のハウジングやアース部材等を用意する必要がある。しかし、部品の種類数が増えることは、製造コストや管理コスト等の点で好ましくない。
【０００５】
本発明は上記のような事情に基づいて完成されたものであって、部品の種類数の増大を抑えながら、アース部材と一対の端子金具の位置関係を複数の形態に設定できるようにすることを目的とする。
【課題を解決するための手段】
【０００６】
本発明は、
底壁部と、前記底壁部から立ち上がる周壁部を有するハウジングと、
前記ハウジング内に収容されたフィルタ素子と、
前記フィルタ素子に接続された一対の端子金具と、
前記フィルタ素子に接続されたアース部材とを備えたフィルタ素子内蔵コネクタであって、
前記周壁部には、前記一対の端子金具を選択的に取り付けることが可能な取付部が、少なくとも３箇所に形成されているところに特徴を有する。
【発明の効果】
【０００７】
一対の端子金具は、少なくとも３箇所の取付部のうち選択した２箇所の取付部に取り付けられる。即ち、一対の端子金具を取り付ける取付部の選択の仕方を変えることにより、一対の端子金具相互間の位置関係と、一対の端子金具とアース部材との位置関係を、任意の形態に設定することができる。したがって、部品の種類数の増大を抑えながら、アース部材と一対の端子金具の位置関係を複数の形態に設定することができる。
【図面の簡単な説明】
【０００８】
【図１】実施例１のフィルタ素子内蔵コネクタにおいて、端子金具とアース部材の取付け形態をあらわす平断面図
【図２】図１とは異なる取付け形態をあらわす平断面図
【図３】図１及び図２とは異なる取付け形態をあらわす平断面図
【図４】実施例２のフィルタ素子内蔵コネクタにおいて、端子金具とアース部材の取付け形態をあらわす平断面図
【図５】図４とは異なる取付け形態をあらわす平断面図
【図６】図４及び図５とは異なる取付け形態をあらわす平断面図
【図７】実施例３のフィルタ素子内蔵コネクタにおいて、端子金具とアース部材の取付け形態をあらわす平断面図
【図８】図７とは異なる取付け形態をあらわす平断面図
【図９】図７及び図８とは異なる取付け形態をあらわす平断面図
【図１０】実施例４のフィルタ素子内蔵コネクタにおいて、端子金具とアース部材の取付け形態をあらわす平断面図
【図１１】図１０とは異なる取付け形態をあらわす平断面図
【図１２】図１０及び図１１とは異なる取付け形態をあらわす平断面図
【図１３】実施例５のフィルタ素子内蔵コネクタにおいて、端子金具とアース部材の取付け形態をあらわす平断面図
【図１４】図１３とは異なる取付け形態をあらわす平断面図
【図１５】図１３及び図１４とは異なる取付け形態をあらわす平断面図
【図１６】図１３，図１４及び図１５とは異なる取付け形態をあらわす平断面図
【発明を実施するための形態】
【０００９】
（１）本発明は、前記アース部材が、前記取付部に対して選択的に取り付け可能とされていてもよい。
この構成によれば、アース部材と端子金具との位置関係に関して、設定の自由度が高くなる。
【００１０】
（２）本発明は、前記フィルタ素子が、コイルと一対のコンデンサとによって構成され、前記アース部材が、前記コンデンサのリード線に接続されるアース側接続部を有しており、前記ハウジング内を前記コイルの軸線を境として２つの収容空間に分割したときに、前記一対のコンデンサが前記アース側接続部と同じ側の前記収容空間内に配されていてもよい。
この構成によれば、一対のコンデンサとアース側接続部との距離が短くなるので、一対のコンデンサがコイルを挟んでアース側接続部とは反対側に配置されている場合に比べると、リード線の長さを短くすることができる。
【００１１】
（３）本発明は、  前記フィルタ素子が、前記アース部材に接続されるコンデンサを有し、
前記アース部材が、前記コンデンサのリード線と接続可能であって、前記底壁部に沿うように配された板状をなすアース側接続部を有しており、
前記アース側接続部の周縁部の少なくとも一部が、前記コイルの形成領域の外部に張り出した形態となっていてもよい。
この構成によれば、板状のアース側接続部が、ハウジングの底壁部に沿って広い範囲に亘って存在しているので、コンデンサがどのような位置に配置されていても、アース側接続部に接続されるリード線の長さを短くすることができる。コンデンサのリード線は比較的細いので、リード線を短くすることは折損回避のために有効な手段である。
【００１２】
＜実施例１＞
以下、本発明を具体化した実施例１を図１〜図３を参照して説明する。本実施例１のフィルタ素子内蔵コネクタＡ１，Ａ２，Ａ３は、合成樹脂製のハウジング１０と、一対の端子金具２０と、アース部材２３と、１つのコイル２６（請求項に記載のフィルタ素子）と、一対のコンデンサ３０（請求項に記載のフィルタ素子）とを備えて構成されている。尚、以下の説明において、前後方向については図１〜３における右側を前側と定義し、左右方向については図１〜３における下側を右側と定義する。
【００１３】
＜ハウジング１０＞
ハウジング１０は、平面視略方形をなす底壁部１２と、底壁部１２の外周縁から上方へ立ち上がる周壁部１３とを有する箱形部材１１と、箱形部材１１の上面の開口部を塞ぐ蓋部材（図示省略）とを組み付けて構成されている。底壁部１２と周壁部１３で囲まれた空間は、収容凹部１７となっている。周壁部１３は、前壁部１４と、左右両側壁部１５と、後壁部１６とによって構成されている。箱形部材１１には、前壁部１４の外周縁から前方へ延出した角筒状をなす前部フード部１８Ｆと、後壁部１６の外周縁から後方へ延出した角筒状をなす後部フード部１８Ｒとが一体に形成されている。
【００１４】
前壁部１４には、前後方向に貫通した形態の前右取付孔１９ＦＲ（請求項に記載の取付部）と前左取付孔１９ＦＬ（請求項に記載の取付部）とが形成されている。前右取付孔１９ＦＲと前左取付孔１９ＦＬは、左右対称に配置されている。後壁部１６には、前後方向に貫通した形態の後取付孔１９Ｒ（請求項に記載の取付部）が形成されている。後取付孔１９Ｒは、左右方向における中央位置に配置されている。
【００１５】
＜端子金具２０＞
端子金具２０は、平面視略Ｌ字形をなす金属板材からなる。端子金具２０は、ハウジング１０に取り付けた状態において前後方向に細長い端子側タブ２１と、端子側タブ２１の基端部から左右いずれかの方向へ突出した端子側接続部２２とから構成されている。端子金具２０は、前右取付孔１９ＦＲと前左取付孔１９ＦＬと後取付孔１９Ｒのいずれに対しても自由に選択して取り付けることができる。
【００１６】
取付けに際しては、収容凹部１７側から端子側タブ２１を取付孔１９ＦＬ，１９ＦＲ，１９Ｒに圧入する。端子金具２０が取り付けられた状態では、端子側タブ２１がフード部１８Ｆ，１８Ｒ内に配置され、端子側接続部２２が収容凹部１７内に配置される。端子側タブ２１の先端部は、フード部１８Ｆ，１８Ｒ内においてノイズ除去対象回路（図示省略）を構成する相手側端子（図示省略）に接続されるようになっている。端子側接続部２２には、後述するコイル２６とコンデンサ３０のリード線３２が接続されるようになっている。端子金具２０は、上下反転させた姿勢で取付孔１９ＦＬ，１９ＦＲ，１９Ｒに取り付けることができる。つまり、端子側タブ２１からの端子側接続部２２の突出方向は、左右いずれの向きにも設定することができる。
＜アース部材２３＞
アース部材２３は、端子金具２０と共通（同一種）の部品である。即ち、アース部材２３は、ハウジング１０に取り付けた状態において前後方向に細長いアース側タブ２４と、アース側タブ２４の基端部から左右いずれかの方向へ突出したアース側接続部２５とから構成されている。アース部材２３は、端子金具２０と同様、前右取付孔１９ＦＲと前左取付孔１９ＦＬと後取付孔１９Ｒのいずれに対しても自由に選択して取り付けることができる。
【００１７】
取付けに際しては、収容凹部１７側からアース側タブ２４を取付孔１９ＦＬ，１９ＦＲ，１９Ｒに圧入する。アース部材２３が取り付けられた状態では、アース側タブ２４がフード部１８Ｆ，１８Ｒ内に配置され、アース側接続部２５が収容凹部１７内に配置される。アース側タブ２４の先端部は、フード部１８Ｆ，１８Ｒ内において図示しないアース回路を構成する相手側端子（図示省略）に接続され、自動車のボディ等の接地部（図示省略）に接続されるようになっている。アース側接続部２５には、コンデンサ３０のリード線３２が接続されるようになっている。アース部材２３は、上下反転させた姿勢で取付孔１９ＦＬ，１９ＦＲ，１９Ｒに取り付けることができる。つまり、アース側タブ２４からのアース側接続部２５の突出方向は、左右いずれの向きにも設定することができる。
【００１８】
＜コイル２６＞
コイル２６は、軸線２６Ａを前後方向に向けた円柱形のコア２７の外周に、１本の導線２８を螺旋状に巻き付けて構成されている。導体は、コア２７の一方の端部から巻き始め、他方の端部で折り返し、一方の端部で巻き終わるように二重巻きされている。コイル２６は、収容凹部１７内、つまり端子側接続部２２及びアース側接続部２５が収容される空間と同じ空間内に配置されるようになっている。導線２８の両端部のうち一方の端部は、半田２９により、一対の端子金具２０のうち一方の端子金具２０の端子側接続部２２に接続されるようになっている。導線２８の他方の端部は、半田２９により他方の端子金具２０の端子側接続部２２に接続されるようになっている。
【００１９】
＜コンデンサ３０＞
コンデンサ３０は、コンデンサ本体３１と、コンデンサ本体３１の上面から延出する一対のリード線３２とを備えて構成されている。一対のコンデンサ３０は、収容凹部１７内、つまり端子側接続部２２、アース側接続部２５及びコイル２６が収容される空間と同じ空間内に配置されるようになっている。一対のリード線３２のうち一方のリード線３２は、半田２９（溶接）によりアース部材２３のアース側接続部２５に接続されるようになっている。他方のリード線３２は、半田２９により端子金具２０の端子側接続部２２に接続される。
【００２０】
上記のようにアース部材２３と端子金具２０に接続されたコイル２６と２つのコンデンサ３０は、π型のフィルタ回路を構成し、端子金具２０に接続されたノイズ除去対象回路のノイズを除去するフィルタとしての機能を発揮する。
【００２１】
＜フィルタ素子内蔵コネクタＡ１，Ａ２，Ａ３の組付け形態＞
図１に示すフィルタ素子内蔵コネクタＡ１は、一方の端子金具２０を前右取付孔１９ＦＲに取り付け、他方の端子金具２０を前左取付孔１９ＦＬに取り付け、アース部材２３を後取付孔１９Ｒに取り付けている。つまり、一対の端子金具２０は、左右対称に並んだ状態でハウジング１０の前端部に配置されている。アース部材２３はハウジング１０の後端部に配置されている。
【００２２】
コイル２６は、軸線２６Ａを前後方向に向けて左右方向中央位置に配置され、コイル２６の前端部から導出された一対の導線２８の端部が、一対の端子側接続部２２に接続されている。一対のコンデンサ３０は、コイル２６を左右両側から挟むように配置されている。両コンデンサ３０における前側のリード線３２は一対の端子側接続部２２に接続され、両コンデンサ３０における後側のリード線３２はアース側接続部２５に接続されている。
【００２３】
図２に示すフィルタ素子内蔵コネクタＡ２は、一方の端子金具２０を前左取付孔１９ＦＬに取り付け、他方の端子金具２０を後取付孔１９Ｒに取り付け、アース部材２３を前右取付孔１９ＦＲに取り付けている。つまり、一対の端子金具２０は、ハウジング１０の前端部と後端部に分かれて配置され、アース部材２３は、ハウジング１０の前端部において一方の端子金具２０と左右に並ぶように配置されている。
【００２４】
コイル２６と一対のコンデンサ３０は、上記フィルタ素子内蔵コネクタＡ１と同じ位置関係で配置されている。コイル２６の前端部から導出された一対の導線２８のうち一方の端部は、前左取付孔１９ＦＬに取り付けた端子金具２０の端子側接続部２２に接続され、他方の端部は、後方へ延出して後取付孔１９Ｒに取り付けた端子金具２０の端子側接続部２２に接続されている。一対のコンデンサ３０のうち右側に位置するコンデンサ３０の前側のリード線３２は、アース側接続部２５に接続され、後側のリード線３２は、後取付孔１９Ｒに取り付けた端子金具２０の端子側接続部２２に接続されている。左側に位置するコンデンサ３０の前側のリード線３２は、前左取付孔１９ＦＬに取り付けた端子金具２０の端子側接続部２２に接続され、後側のリード線３２は、前右取付孔１９ＦＲに取り付けたアース部材２３のアース側接続部２５に接続されている。
【００２５】
図３に示すフィルタ素子内蔵コネクタＡ３は、一方の端子金具２０とアース部材２３の配置が上記フィルタ素子内蔵コネクタＡ２と同じである。即ち、一対の端子金具２０は、ハウジング１０の前端部と後端部に分かれて配置されている。右側の端子金具２０の端子側接続部２２は、端子側タブ２１から右方へ突出する向きとなっている。アース部材２３は、ハウジング１０の前端部において一方の端子金具２０の右側に隣り合うように配置されている。アース側接続部２５は、右側の端子金具２０と同じく、アース側タブ２４から右方へ突出する向きとなっている。
【００２６】
コイル２６は、軸線２６Ａを前後方向に向けて左右方向中央よりも左側へ偏った位置に配置されている。そして、一対のコンデンサ３０は、コイル２６よりも右方の広い空間内に左右に並ぶように配置されている。つまり、収容凹部１７内をコイル２６の軸線２６Ａを境として左右２つの収容空間３３Ｌ，３３Ｒに分割したときに、一対のコンデンサ３０がアース側接続部２５及び右側の端子側接続部２２と同じ側の収容空間３３Ｒ内に配されている。
【００２７】
コイル２６の前端部から導出された一対の導線２８のうち一方の端部は、前左取付孔１９ＦＬに取り付けた端子金具２０の端子側接続部２２に接続され、他方の端部は、後方へ延出して後取付孔１９Ｒに取り付けた端子金具２０の端子側接続部２２に接続されている。一対のコンデンサ３０のうち右側（コイル２６から遠い側）に位置するコンデンサ３０の前側のリード線３２は、アース側接続部２５に接続され、後側のリード線３２は、後取付孔１９Ｒに取り付けた端子金具２０の端子側接続部２２に接続されている。左側（コイル２６の近い側）に位置するコンデンサ３０の前側のリード線３２は、アース側接続部２５に接続され、後側のリード線３２は、前左取付孔１９ＦＬに取り付けた端子金具２０の端子側接続部２２に接続されている。
【００２８】
＜実施例１の作用、効果＞
本実施例１のフィルタ素子内蔵コネクタＡ１，Ａ２，Ａ３は、底壁部１２と、底壁部１２から立ち上がる周壁部１３を有するハウジング１０と、ハウジング１０内に収容されたコイル２６及びコンデンサ３０と、コイル２６及びコンデンサ３０に接続された一対の端子金具２０と、コンデンサ３０に接続されたアース部材２３とを備えており、周壁部１３には、一対の端子金具２０を選択的に取り付けることが可能な取付孔１９ＦＬ，１９ＦＲ，１９Ｒが、３箇所に形成されている。
【００２９】
一対の端子金具２０は、３箇所の取付孔１９ＦＬ，１９ＦＲ，１９Ｒのうち選択した２箇所の取付孔１９ＦＬ，１９ＦＲ，１９Ｒに取り付けることができる。即ち、一対の端子金具２０を取り付ける取付孔１９ＦＬ，１９ＦＲ，１９Ｒの選択の仕方を変えることにより、一対の端子金具２０相互間の位置関係と、一対の端子金具２０とアース部材２３との位置関係を、任意の形態に設定することができる。したがって、ハウジング１０と端子金具２０の種類数を増やすことなく、アース部材２３と一対の端子金具２０の位置関係を複数の形態に設定することができる。しかも、アース部材２３が、端子金具２０を取り付けるための取付孔１９ＦＬ，１９ＦＲ，１９Ｒに対して選択的に取り付けることが可能となっている。したがって、アース部材２３と端子金具２０との位置関係に関して、設定の自由度が更に高くなっている。
【００３０】
また、図３に示すフィルタ素子内蔵コネクタＡ３は、収容凹部１７（ハウジング１０）内をコイル２６の軸線２６Ａを境として左右２つの収容空間３３Ｌ，３３Ｒに分割したときに、一対のコンデンサ３０がアース側接続部２５及び端子側接続部２２と同じ側の収容空間３３Ｒ内に配されている。この構成によれば、一対のコンデンサ３０とアース側接続部２５との距離が短くなるので、一対のコンデンサ３０がコイル２６を挟んでアース側接続部２５とは反対側に配置されている場合に比べると、リード線３２の長さを短くすることができる。リード線３２は、コイル２６の導線２８に比べて線径が細く折損し易いので、リード線３２が短くなることは、折損回避の点で有効である。
【００３１】
＜実施例２＞
次に、本発明を具体化した実施例２を図４〜図６を参照して説明する。本実施例２のフィルタ素子内蔵コネクタＢ１，Ｂ２，Ｂ３は、コイル３４を上記実施例１とは異なる構成としたものである。その他の構成については上記実施例１と同じであるため、同じ構成については、同一符号を付し、構造、作用及び効果の説明は省略する。本実施例２で使用するコイル３４は、軸線３４Ａを前後方向に向けた円柱形のコア３５の外周に、１本の導線３６を螺旋状に巻き付けて構成されている。導体は、コア３５の一方の端部から巻き始め、他方の端部で巻き終わるように一重巻きされたものである。つまり、導線３６の巻き方が実施例１のコイル２６と異なっている。
【００３２】
図４に示すフィルタ素子内蔵コネクタＢ１は、端子金具２０、アース部材２３、コンデンサ３０の配置、及びこれらの接続形態に関して、実施例１のフィルタ素子内蔵コネクタＡ１（図１を参照）と同一であり、相違するのは、コイル３４の導線３６における一方の端部の長さと配索経路である。図５に示すフィルタ素子内蔵コネクタＢ２は、端子金具２０、アース部材２３、コンデンサ３０の配置、及びこれらの接続形態に関して、実施例１のフィルタ素子内蔵コネクタＡ２（図２を参照）と同一であり、相違するのは、コイル３４の導線３６における一方の端部の長さと配索経路である。図６に示すフィルタ素子内蔵コネクタＢ３は、端子金具２０、アース部材２３、コンデンサ３０の配置、及びこれらの接続形態に関して、実施例１のフィルタ素子内蔵コネクタＡ３（図３を参照）と同一であり、相違するのは、コイル３４の導線３６における一方の端部の長さと配索経路である。
【００３３】
＜実施例３＞
以下、本発明を具体化した実施例３を図７〜図９を参照して説明する。本実施例３のフィルタ素子内蔵コネクタＣ１，Ｃ２，Ｃ３は、合成樹脂製のハウジング４０と、一対の端子金具５０と、アース部材５３と、１つのコイル２６（請求項に記載のフィルタ素子）と、一対のコンデンサ３０（請求項に記載のフィルタ素子）とを備えて構成されている。尚、以下の説明において、前後方向については図７〜９における右側を前側と定義し、左右方向については図７〜９における下側を右側と定義する。
【００３４】
＜ハウジング４０＞
ハウジング４０は、平面視略方形をなす底壁部４２と、底壁部４２の外周縁から上方へ立ち上がる周壁部４３とを有する箱形部材４１と、箱形部材４１の上面の開口部を塞ぐ蓋部材（図示省略）とを組み付けて構成されている。底壁部４２と周壁部４３で囲まれた空間は、収容凹部４７となっている。周壁部４３は、前壁部４４と、左右両側壁部４５と、後壁部４６とによって構成されている。箱形部材４１には、前壁部４４の外周縁から前方へ延出した角筒状をなす前部フード部４８Ｆと、後壁部４６の外周縁から後方へ延出した角筒状をなす後部フード部４８Ｒとが一体に形成されている。
【００３５】
前壁部４４には、前後方向に貫通した形態の前右取付孔４９ＦＲ（請求項に記載の取付部）と前中取付孔４９ＦＣ（請求項に記載の取付部）と前左取付孔４９ＦＬ（請求項に記載の取付部）とが形成されている。前右取付孔４９ＦＲと前左取付孔４９ＦＬは、左右対称に配置され、前中取付孔４９ＦＣは左右方向中央に配置されている。後壁部４６には、前後方向に貫通した形態の後取付孔４９Ｒ（請求項に記載の取付部）が形成されている。後取付孔４９Ｒは、左右方向における中央位置に配置されている。
【００３６】
＜端子金具５０＞
端子金具５０は、全体として細長い金属板材からなる。端子金具５０は、ハウジング４０に取り付けた状態において前後方向に細長い端子側タブ５１と、端子側タブ５１の基端部から左右両方向へ対称に突出した端子側接続部５２とから構成されている。端子金具５０は、前右取付孔４９ＦＲと前中取付孔４９ＦＣと前左取付孔４９ＦＬと後取付孔４９Ｒの４つの取付孔のいずれに対しても、自由に選択して取り付けることができる。
【００３７】
取付けに際しては、収容凹部４７側から端子側タブ５１を取付孔４９ＦＣ，４９ＦＬ，４９ＦＲ，４９Ｒに圧入する。端子金具５０が取り付けられた状態では、端子側タブ５１がフード部４８Ｆ，４８Ｒ内に配置され、端子側接続部５２が収容凹部４７内に配置される。端子側タブ５１の先端部は、フード部４８Ｆ，４８Ｒ内においてノイズ除去対象回路（図示省略）を構成する相手側端子（図示省略）に接続されるようになっている。端子側接続部５２には、後述するコイル２６とコンデンサ３０のリード線３２が接続されるようになっている。
【００３８】
＜アース部材５３＞
アース部材５３は、金属板材を曲げ加工して成形されたものである。アース部材５３は、ハウジング４０に取り付けた状態において前後方向に細長いアース側タブ５４と、アース側タブ５４の基端部から下方へ延出する脚部５５と、脚部５５の下端部からアース側タブ５４とは反対方向へ延出したアース側接続部５６とから構成されている。アース側接続部５６は、アース側タブ５４よりも幅広であり、ハウジング４０に取り付けた状態における平面視形状は略方形である。アース部材５３は、端子金具５０と同様、前右取付孔４９ＦＲと前中取付孔４９ＦＣと前左取付孔４９ＦＬと後取付孔４９Ｒのいずれに対しても自由に選択して取り付けることができる。
【００３９】
取付けに際しては、収容凹部４７側からアース側タブ５４を取付孔４９ＦＣ，４９ＦＬ，４９ＦＲ，４９Ｒに圧入する。アース部材５３が取り付けられた状態では、アース側タブ５４がフード部４８Ｆ，４８Ｒ内に配置され、アース側接続部５６が収容凹部４７内に配置される。アース側タブ５４の先端部は、フード部４８Ｆ，４８Ｒ内において図示しないアース回路を構成する相手側端子（図示省略）に接続され、自動車のボディ等の接地部（図示省略）に接続されるようになっている。アース側接続部５６は、底壁部４２の上面に沿うように配されている。アース側端子部の形成領域は、平面視において収容凹部４７（底壁部４２）の広い範囲に亘っている。アース側接続部５６には、コンデンサ３０のリード線３２が接続されるようになっている。
【００４０】
＜コイル２６＞
コイル２６は、実施例１のフィルタ素子内蔵コネクタＡ１，Ａ２，Ａ３で用いたものと同じ部品である。即ち、軸線２６Ａを前後方向に向けた円柱形のコア２７の外周に、１本の導線２８を螺旋状に巻き付けて構成されている。導体は、コア２７の一方の端部から巻き始め、他方の端部で折り返し、一方の端部で巻き終わるように二重巻きされている。コイル２６は、収容凹部４７内、つまり端子側接続部５２及びアース側接続部５６が収容される空間と同じ空間内に配置されるようになっている。導線２８の両端部のうち一方の端部は、半田２９により、一対の端子金具５０のうち一方の端子金具５０の端子側接続部５２に接続されるようになっている。導線２８の他方の端部は、半田２９により他方の端子金具５０の端子側接続部５２に接続されるようになっている。
【００４１】
＜コンデンサ３０＞
コンデンサ３０は、実施例１のフィルタ素子内蔵コネクタＡ１，Ａ２，Ａ３で用いたものと同じ部品である。即ち、コンデンサ本体３１と、コンデンサ本体３１の上面から導出された一対のリード線３２とを備えて構成されている。一対のコンデンサ３０は、収容凹部４７内、つまり端子側接続部５２、アース側接続部５６及びコイル２６が収容される空間と同じ空間内に配置されるようになっている。一対のリード線３２のうち一方のリード線３２は、半田２９（溶接）によりアース部材５３のアース側接続部５６に接続されるようになっている。他方のリード線３２は、半田２９により端子金具５０の端子側接続部５２に接続されるようになっている。
【００４２】
上記のようにアース部材５３と端子金具５０に接続されたコイル２６と２つのコンデンサ３０は、π型のフィルタ回路を構成し、端子金具５０に接続されたノイズ除去対象回路のノイズを効果的に除去するフィルタとしての機能を発揮する。
【００４３】
＜フィルタ素子内蔵コネクタＣ１，Ｃ２，Ｃ３の組付け形態＞
図７に示すフィルタ素子内蔵コネクタＣ１は、一方の端子金具５０を前右取付孔４９ＦＲに取り付け、他方の端子金具５０を前左取付孔４９ＦＬに取り付け、アース部材５３を前中取付孔４９ＦＣに取り付けている。つまり、一対の端子金具５０は、アース部材５３を挟むように左右対称に並んだ状態でハウジング４０の前端部に配置されている。つまり、前部フード部４８Ｆ内では、一対の端子側タブ５１とアース側タブ５４が左右に並列配置されている。
【００４４】
コイル２６は、軸線２６Ａを前後方向に向けて左右方向中央位置に配置され、コイル２６の前端部から導出された一対の導線２８の端部が、一対の端子側接続部５２に接続されている。アース部材５３の板状をなすアース側接続部５６の左右両側縁部は、平面視においてコイル２６の外方（左右両側方）において露出している。一対のコンデンサ３０は、コイル２６とアース側接続部５６を左右両側から挟むように配置されている。両コンデンサ３０における前側のリード線３２は一対の端子側接続部５２に接続されている。両コンデンサ３０における後側のリード線３２は、アース側接続部５６の左右両側縁部に接続されている。
【００４５】
図８に示すフィルタ素子内蔵コネクタＣ２は、アース部材５３を後取付孔４９Ｒに取り付けたという点を除き、その他の部材の配置等が図７のフィルタ素子内蔵コネクタＣ１と同一となっている。アース部材５３を後取付孔４９Ｒに取り付けた状態でも、アース側接続部５６の左右両側縁部は、平面視においてコイル２６の外方（左右両側方）において露出している。したがって、コンデンサ３０のリード線３２は、図７に示すフィルタ素子内蔵コネクタＣ１とほぼ同様の形態でアース側接続部５６に接続されている。
【００４６】
図９に示すフィルタ素子内蔵コネクタＣ３は、次の点が図７のフィルタ素子内蔵コネクタＣ１と相違している。まず、前右取付孔４９ＦＲに取り付けられていた端子金具５０を、後取付孔４９Ｒに取り付けている。したがって、ハウジング４０の前端部では、アース部材５３と端子金具５０が並ぶように配置され、ハウジング４０の後端部では１つの端子金具５０が配置されている。そして、コイル２６の軸線２６Ａの向きを、前後方向から左右方向へ変更し、導線２８の両端部がコイル２６の左端部から導出するようにしている。また、右側のコンデンサ３０に関しては、前側のリード線３２をアース側接続部５６に接続し、後側のリード線３２を後取付孔４９Ｒに取り付けた端子金具５０の端子側接続部５２に接続している。
【００４７】
＜実施例３の作用、効果＞
本実施例３のフィルタ素子内蔵コネクタＣ１，Ｃ２，Ｃ３は、底壁部４２と、底壁部４２から立ち上がる周壁部４３を有するハウジング４０と、ハウジング４０内に収容されたコイル２６及びコンデンサ３０と、コイル２６及びコンデンサ３０に接続された一対の端子金具５０と、コンデンサ３０に接続されたアース部材５３とを備えており、周壁部４３には、一対の端子金具５０を選択的に取り付けることが可能な取付孔４９ＦＣ，４９ＦＬ，４９ＦＲ，４９Ｒが、４箇所に形成されている。
【００４８】
一対の端子金具５０は、４箇所の取付孔４９ＦＣ，４９ＦＬ，４９ＦＲ，４９Ｒのうち選択した２箇所の取付孔４９ＦＣ，４９ＦＬ，４９ＦＲ，４９Ｒに取り付けることができる。即ち、一対の端子金具５０を取り付ける取付孔４９ＦＣ，４９ＦＬ，４９ＦＲ，４９Ｒの選択の仕方を変えることにより、一対の端子金具５０相互間の位置関係と、一対の端子金具５０とアース部材５３との位置関係を、任意の形態に設定することができる。したがって、ハウジング４０と端子金具５０の種類数を増やすことなく、アース部材５３と一対の端子金具５０の位置関係を複数の形態に設定することができる。しかも、アース部材５３が、端子金具５０を取り付けるための取付孔４９ＦＣ，４９ＦＬ，４９ＦＲ，４９Ｒに対して選択的に取り付けることが可能となっている。したがって、アース部材５３と端子金具５０との位置関係に関して、設定の自由度が更に高くなっている。
【００４９】
また、アース部材５３は、コンデンサ３０のリード線３２と接続可能であって、底壁部４２に沿うように配された板状をなすアース側接続部５６を有しており、平面視において（底壁部４２を正対視したときに）、アース側接続部５６の周縁部の少なくとも一部が、コイル２６の形成領域の外部に張り出した形態となっている。したがって、コンデンサ３０がどのような位置に配置されていても、アース側接続部５６に接続されるリード線３２の長さを短くすることができる。コンデンサ３０のリード線３２は比較的細いので、リード線３２を短くすることは折損回避のために有効な手段である。
【００５０】
＜実施例４＞
次に、本発明を具体化した実施例２を図１０〜図１２を参照して説明する。本実施例４のフィルタ素子内蔵コネクタＤ１，Ｄ２，Ｄ３は、コイル３４を上記実施例３とは異なる構成としたものである。その他の構成については上記実施例３と同じであるため、同じ構成については、同一符号を付し、構造、作用及び効果の説明は省略する。
【００５１】
本実施例４で使用するコイル３４は、実施例２のフィルタ素子内蔵コネクタＢ１，Ｂ２，Ｂ３で使用したものと同じものである。即ち、軸線３４Ａを前後方向に向けた円柱形のコア３５の外周に、１本の導線３６を螺旋状に巻き付けて構成されている。導線３６は、コア３５の一方の端部から巻き始め、他方の端部で巻き終わるように一重巻きされたものである。つまり、導線３６の巻き方が実施例３と異なっている。
【００５２】
本実施例４におけるフィルタ素子内蔵コネクタＤ１，Ｄ２，Ｄ３の組付け形態のうち図１０に示すフィルタ素子内蔵コネクタＤ１は、一対の端子金具５０、アース部材５３、コンデンサ３０の配置、及びこれらの接続形態に関して、実施例３のフィルタ素子内蔵コネクタＣ１（図７を参照）と同一である。相違するのは、コイル３４の軸線３４Ａの向きが前後方向から左右方向に変更された点と、コイル３４の導線３６の配索経路である。
【００５３】
図１１に示すフィルタ素子内蔵コネクタＤ２は、端子金具５０、アース部材５３、コンデンサ３０の配置、及びこれらの接続形態に関して、実施例３のフィルタ素子内蔵コネクタＣ２（図８を参照）と同一である。相違するのは、コイル３４の軸線３４Ａの向きが前後方向から左右方向に変更された点と、コイル３４の導線３６の配索経路である。
【００５４】
図１２に示すフィルタ素子内蔵コネクタＤ３は、端子金具５０、アース部材５３、コンデンサ３０の配置、コイル３４の軸線３４Ａの向き、及びこれらの接続形態に関して、実施例３のフィルタ素子内蔵コネクタＣ３（図９を参照）と同一である。相違するのは、後取付孔４９Ｒに取り付けられている端子金具５０の端子側接続部５２に接続される導線３６の配索長さと配索経路である。
【００５５】
＜実施例５＞
次に、本発明を具体化した実施例５を図１３〜図１６を参照して説明する。本実施例５のフィルタ素子内蔵コネクタＥ１，Ｅ２，Ｅ３，Ｅ４は、合成樹脂製のハウジング６０と、一対の端子金具５０と、アース部材７２と、１つのコイル２６（請求項に記載のフィルタ素子）と、一対のコンデンサ３０（請求項に記載のフィルタ素子）とを備えて構成されている。尚、以下の説明において、前後方向については図１３〜１６における右側を前側と定義し、左右方向については図１３〜１６における下側を右側と定義する。
【００５６】
＜ハウジング６０＞
ハウジング６０は、平面視略方形をなす底壁部６２と、底壁部６２の外周縁から上方へ立ち上がる周壁部６３とを有する箱形部材６１と、箱形部材６１の上面の開口部を塞ぐ蓋部材（図示省略）とを組み付けて構成されている。底壁部６２と周壁部６３で囲まれた空間は、収容凹部６７となっている。周壁部６３は、前壁部６４と、左右両側壁部６５と、後壁部６６とによって構成されている。箱形部材６１には、右側壁部６５の外周縁から右方へ延出した角筒状をなす右部フード部６８Ｒと、左側壁部６５の外周縁から左方へ延出した角筒状をなす左部フード部６８Ｌと、後壁部６６の外周縁から後方へ延出した角筒状をなす後部フード部６９とが一体に形成されている。
【００５７】
右側壁部６５には、左右方向に貫通した形態の右前取付孔７０ＲＦ（請求項に記載の取付部）と右中取付孔７０ＲＣ（請求項に記載の取付部）と右後取付孔７０ＲＲ（請求項に記載の取付部）とが形成されている。左側壁部６５には、左右方向に貫通した形態の左前取付孔７０ＬＦ（請求項に記載の取付部）と左中取付孔７０ＬＣ（請求項に記載の取付部）と左後取付孔７０ＬＲ（請求項に記載の取付部）とが形成されている。後壁部６６には、前後方向に貫通した形態の後右取付孔７１Ｒ（請求項に記載の取付部）と後中取付孔７１Ｃ（請求項に記載の取付部）と後左取付孔７１Ｌ（請求項に記載の取付部）とが形成されている。
【００５８】
＜端子金具５０＞
端子金具５０は、実施例３のフィルタ素子内蔵コネクタＣ１，Ｃ２，Ｃ３で用いたものと同じ部品である。即ち、端子金具５０は、全体として細長い金属板材からなり、ハウジング６０に取り付けた状態において前後方向又は左右方向に細長い端子側タブ５１と、端子側タブ５１の基端部から略直角な方向へ対称に突出した端子側接続部５２とから構成されている。端子金具５０は、９つの取付孔７０ＬＣ，７０ＬＦ，７０ＬＲ，７０ＲＣ，７０ＲＬ，７０ＲＲ，７１Ｃ，７１Ｌ，７１Ｒのいずれに対しても、自由に選択して取り付けることができる。
【００５９】
取付けに際しては、収容凹部６７側から端子側タブ５１を取付孔７０ＬＣ，７０ＬＦ，７０ＬＲ，７０ＲＣ，７０ＲＬ，７０ＲＲ，７１Ｃ，７１Ｌ，７１Ｒに圧入する。端子金具５０が取り付けられた状態では、端子側タブ５１がフード部６８Ｌ，６８Ｒ，６９内に配置され、端子側接続部５２が収容凹部６７内に配置される。端子側タブ５１の先端部は、フード部６８Ｌ，６８Ｒ，６９内においてノイズ除去対象回路（図示省略）を構成する相手側端子（図示省略）に接続されるようになっている。端子側接続部５２には、後述するコイル２６とコンデンサ３０のリード線３２が接続されるようになっている。
【００６０】
＜アース部材７２＞
アース部材７２は、端子金具５０とは形状も大きさも異なる部品である。アース部材７２は、全体として平面視形状が前後方向に長い方形をなし、ハウジング６０に対しインサート成形等により一体化された状態で取り付けられている。アース部材７２の前端側部分は、ハウジング６０の前壁部６４よりも前方へ露出した接地用取付部７３となっている。接地用取付部７３には、ボルトとナットとから構成される締結部材（図示省略）の雄ネジ部を貫通させるためのネジ孔７４が形成されている。接地用取付部７３は、締結部材により、自動車のボディ等の接地部（図示省略）に接続されるようになっている。
【００６１】
アース部材７２の後端側部分は、アース側接続部７５となっている。アース側接続部７５は、底壁部６２の上面に沿うように配されている。アース側端子部の形成領域は、平面視において収容凹部６７（底壁部６２）のほぼ全領域に亘っている。アース側接続部７５には、コンデンサ３０のリード線３２が接続されるようになっている。
【００６２】
＜コイル２６＞
コイル２６は、実施例１のフィルタ素子内蔵コネクタＡ１，Ａ２，Ａ３で用いたものと同じ部品である。即ち、軸線を前後方向に向けた円柱形のコア２７の外周に、１本の導線２８を螺旋状に巻き付けて構成されている。導体は、コア２７の一方の端部から巻き始め、他方の端部で折り返し、一方の端部で巻き終わるように二重巻きされている。コイル２６は、収容凹部６７内、つまり端子側接続部５２及びアース側接続部７５が収容される空間と同じ空間内に配置されるようになっている。導線２８の両端部のうち一方の端部は、半田２９により、一対の端子金具５０のうち一方の端子金具５０の端子側接続部５２に接続されるようになっている。導線２８の他方の端部は、半田２９により他方の端子金具５０の端子側接続部５２に接続されるようになっている。
【００６３】
＜コンデンサ３０＞
コンデンサ３０は、実施例１のフィルタ素子内蔵コネクタＡ１，Ａ２，Ａ３で用いたものと同じ部品である。即ち、コンデンサ本体３１と、コンデンサ本体３１の上面から導出された一対のリード線３２とを備えて構成されている。一対のコンデンサ３０は、収容凹部６７内、つまり端子側接続部５２、アース側接続部７５及びコイル２６が収容される空間と同じ空間内に配置されるようになっている。一対のリード線３２のうち一方のリード線３２は、半田２９（溶接）によりアース部材７２のアース側接続部７５に接続されるようになっている。他方のリード線３２は、半田２９により端子金具５０の端子側接続部５２に接続されるようになっている。
【００６４】
上記のようにアース部材７２と端子金具５０に接続されたコイル２６と２つのコンデンサ３０は、π型のフィルタ回路を構成し、端子金具５０に接続されたノイズ除去対象回路のノイズを効果的に除去するフィルタとしての機能を発揮する。
【００６５】
＜フィルタ素子内蔵コネクタＥ１，Ｅ２，Ｅ３，Ｅ４の組付け形態＞
図１３に示すフィルタ素子内蔵コネクタＥ１は、一方の端子金具５０を右後取付孔７０ＲＲに取り付け、他方の端子金具５０を左前取付孔７０ＬＦに取り付けている。つまり、一対の端子金具５０は、平面視において対角状に配置されている。コイル２６は、軸線を左右方向に向けて収容凹部６７の中央に配置されている。コイル２６の左端部から導出された一対の導線２８の端部は、一対の端子側接続部５２に接続されている。一対のコンデンサ３０は、コイル２６を前後両側から挟むように配置されている。
【００６６】
前側に配置されたコンデンサ３０における右側のリード線３２はアース側接続部７５に接続され、左側のリード線３２は左前取付孔７０ＬＦに取り付けられている端子金具５０の端子側接続部５２に接続されている。後側に配置されたコンデンサ３０における左側のリード線３２はアース側接続部７５に接続され、右側のリード線３２は右後取付孔７０ＲＲに取り付けられている端子金具５０の端子側接続部５２に接続されている。
【００６７】
図１４に示すフィルタ素子内蔵コネクタＥ２は、一方の端子金具５０を左前取付孔７０ＬＦに取り付け、他方の端子金具５０を左中取付孔７０ＬＣに取り付けている。つまり、一対の端子金具５０は、ハウジング６０の左側縁部において前後に並ぶように配置されている。コイル２６と一対のコンデンサ３０は、上記フィルタ素子内蔵コネクタＥ１と同じ位置関係で配置されている。コイル２６の前端部から導出された一対の導線２８のうち一方の端部は、左前取付孔７０ＬＦに取り付けた端子金具５０の端子側接続部５２に接続され、他方の端部は、左中取付孔７０ＬＣに取り付けた端子金具５０の端子側接続部５２に接続されている。
【００６８】
前側に配置されたコンデンサ３０における右側のリード線３２はアース側接続部７５に接続され、左側のリード線３２は左前取付孔７０ＬＦに取り付けられている端子金具５０の端子側接続部５２に接続されている。後側に配置されたコンデンサ３０における右側のリード線３２はアース側接続部７５に接続され、左側のリード線３２は左中取付孔７０ＬＣに取り付けられている端子金具５０の端子側接続部５２に接続されている。
【００６９】
図１５に示すフィルタ素子内蔵コネクタＥ３は、一方の端子金具５０を右中取付孔７０ＲＣに取り付け、他方の端子金具５０を左中取付孔７０ＬＣに取り付けている。つまり、一対の端子金具５０は、平面視において左右対称に配置されている。コイル２６は、軸線を前後方向に向けて収容凹部６７の中央に配置されている。コイル２６の後端部から導出された一対の導線２８の端部は、一対の端子側接続部５２に接続されている。一対のコンデンサ３０は、コイル２６を前後両側から挟むように配置されている。
【００７０】
前側に配置されたコンデンサ３０における左側のリード線３２はアース側接続部７５に接続され、右側のリード線３２は右中取付孔７０ＲＣに取り付けられている端子金具５０の端子側接続部５２に接続されている。後側に配置されたコンデンサ３０における右側のリード線３２はアース側接続部７５に接続され、左側のリード線３２は左中取付孔７０ＬＣに取り付けられている端子金具５０の端子側接続部５２に接続されている。
【００７１】
図１６に示すフィルタ素子内蔵コネクタＥ４は、一方の端子金具５０を後右取付孔７１Ｒに取り付け、他方の端子金具５０を後左取付孔７１Ｌに取り付けている。つまり、一対の端子金具５０は、平面視においてハウジング６０の後端部において左右に並ぶように配置されている。コイル２６は、軸線を前後方向に向けて収容凹部６７の中央に配置されている。コイル２６の後端部から導出された一対の導線２８の端部が、一対の端子側接続部５２に接続されている。一対のコンデンサ３０は、コイル２６を左右両側から挟むように配置されている。
【００７２】
右側に配置されたコンデンサ３０における前側のリード線３２はアース側接続部７５に接続され、後側のリード線３２は後右取付孔７１Ｒに取り付けられている端子金具５０の端子側接続部５２に接続されている。左側に配置されたコンデンサ３０における前側のリード線３２はアース側接続部７５に接続され、後側のリード線３２は後左取付孔７１Ｌに取り付けられている端子金具５０の端子側接続部５２に接続されている。
【００７３】
＜実施例５の作用、効果＞
本実施例５のフィルタ素子内蔵コネクタＥ１，Ｅ２，Ｅ３，Ｅ４は、底壁部６２と、底壁部６２から立ち上がる周壁部６３を有するハウジング６０と、ハウジング６０内に収容されたコイル２６及びコンデンサ３０と、コイル２６及びコンデンサ３０に接続された一対の端子金具５０と、コンデンサ３０に接続されたアース部材７２とを備えており、周壁部６３には、一対の端子金具５０を選択的に取り付けることが可能な取付孔７０ＬＣ，７０ＬＦ，７０ＬＲ，７０ＲＣ，７０ＲＬ，７０ＲＲ，７１Ｃ，７１Ｌ，７１Ｒが、９箇所に形成されている。
【００７４】
一対の端子金具５０は、９箇所の取付孔７０ＬＣ，７０ＬＦ，７０ＬＲ，７０ＲＣ，７０ＲＬ，７０ＲＲ，７１Ｃ，７１Ｌ，７１Ｒのうち選択した２箇所に取り付けることができる。即ち、一対の端子金具５０を取り付ける取付孔７０ＬＣ，７０ＬＦ，７０ＬＲ，７０ＲＣ，７０ＲＬ，７０ＲＲ，７１Ｃ，７１Ｌ，７１Ｒの選択の仕方を変えることにより、一対の端子金具５０相互間の位置関係と、一対の端子金具５０とアース部材７２との位置関係を、任意の形態に設定することができる。端子金具５０の取付け形態は、上記フィルタ素子内蔵コネクタＥ１，Ｅ２，Ｅ３，Ｅ４以外の形態が可能である。したがって、ハウジング６０と端子金具５０の種類数を増やすことなく、アース部材７２と一対の端子金具５０の位置関係を複数の形態に設定することができる。
【００７５】
また、アース部材７２は、コンデンサ３０のリード線３２と接続可能であって、底壁部６２に沿うような板状をなアース側接続部７５を有している。このアース側接続部７５は、底壁部６２の広い範囲（つまり、底壁部６２のほぼ全領域）に亘って存在している。つまり、平面視において（底壁部６２を正対視したときに）、アース側接続部７５の周縁部のほぼ全領域が、コイル２６の形成領域の外部に張り出した形態となっている。したがって、コンデンサ３０がどのような位置に配置されていても、アース側接続部７５に接続されるリード線３２の長さを短くすることができる。コンデンサ３０のリード線３２は比較的細いので、リード線３２を短くすることは折損回避のために有効な手段である。
【００７６】
＜他の実施例＞
本発明は上記記述及び図面によって説明した実施例に限定されるものではなく、例えば次のような実施例も本発明の技術的範囲に含まれる。
（１）上記実施例１〜５では、２つのコンデンサと１つのコイルによりπ形のフィルタ回路が構成されているが、本発明は、フィルタ回路が、１つのコンデンサと１つのコイルで構成されている場合や、コイルを設けずに１つのコンデンサだけで構成されている場合や、コイルを設けずに２つのコンデンサだけで構成されている場合にも適用できる。
（２）上記実施例１〜４では、取付部を、ハウジングの前壁部と後壁部のみに形成したが、取付部は、少なくともいずれか一方の側壁部を含む異なる２つ以上の壁部に形成することができる。即ち、前壁部と後壁部と側壁部に取付部を形成する形態、前壁部と側壁部のみに取付部を形成する形態、後壁部と側壁部のみに取付部を形成する形態、左右両側壁部のみに取付部を形成する形態とすることが可能である。
（３）アース部材をハウジングに対して固定して設けた実施例５において、左右両側壁部と後壁部に形成する取付部の数は、２つでもよく、１つでもよく、また、いずれかの壁部に取付部を形成しない形態としてもよい。
（４）実施例１，２の図３，６に示すように、コイルの軸線を境としてハウジング内を２つの収容空間に分割したときに、一対の端子側接続部を同じ収容空間内に配置する形態は、実施例３〜５にも適用できる。
（５）実施例１，２の図３，６に示すように、コイルの軸線を境としてハウジング内を２つの収容空間に分割したときに、一対のコンデンサを同じ収容空間内に配置する形態は、実施例３〜５にも適用できる。
（６）上記実施例１〜５では、ハウジングに端子金具の取り付けるための取付部を孔状（取付孔）としたが、取付部は溝状であってもよい。
（７）上記実施例５において、実施例２，４で使用されている形態（導線を一重巻きとして、導線の両端部をコアの両端部から導出させる形態）のコイルを適用してもよい。
【符号の説明】
【００７７】
Ａ１，Ａ２，Ａ３…フィルタ素子内蔵コネクタ
１０…ハウジング
１１…周壁部
１２…底壁部
１９ＦＬ…前左取付孔（取付部）
１９ＦＲ…前右取付孔（取付部）
１９Ｒ…後取付孔（取付部）
２０…端子金具
２３…アース部材
２５…アース側接続部
２６…コイル（フィルタ素子）
２６Ａ…コイルの軸線
３０…コンデンサ（フィルタ素子）
３２…リード線
３３Ｌ，３３Ｒ…収容空間
Ｂ１，Ｂ２，Ｂ３…フィルタ素子内蔵コネクタ
３４…コイル（フィルタ素子）
Ｃ１，Ｃ２，Ｃ３…フィルタ素子内蔵コネクタ
４０…ハウジング
４１…周壁部
４２…底壁部
４９ＦＣ…前中取付孔（取付部）
４９ＦＬ…前左取付孔（取付部）
４９ＦＲ…前右取付孔（取付部）
５０…端子金具
５３…アース部材
５６…アース側接続部
Ｄ１，Ｄ２，Ｄ３…フィルタ素子内蔵コネクタ
Ｅ１，Ｅ２，Ｅ３，Ｅ４…フィルタ素子内蔵コネクタ
６０…ハウジング
６１…周壁部
６２…底壁部
７０ＬＣ…左中取付孔（取付部）
７０ＬＦ…左前取付孔（取付部）
７０ＬＲ…左後取付孔（取付部）
７０ＲＣ…右中取付孔（取付部）
７０ＲＦ…右前取付孔（取付部）
７０ＲＲ…右後取付孔（取付部）
７１Ｃ…後中取付孔（取付部）
７１Ｌ…後左取付孔（取付部）
７１Ｒ…後右取付孔（取付部）
７２…アース部材
７５…アース側接続部
【図１】
2015211310.tif 000003
【図２】
2015211310.tif 000004
【図３】
2015211310.tif 000005
【図４】
2015211310.tif 000006
【図５】
2015211310.tif 000007
【図６】
2015211310.tif 000008
【図７】
2015211310.tif 000009
【図８】
2015211310.tif 000010
【図９】
2015211310.tif 000011
【図１０】
2015211310.tif 000012
【図１１】
2015211310.tif 000013
【図１２】
2015211310.tif 000014
【図１３】
2015211310.tif 000015
【図１４】
2015211310.tif 000016
【図１５】
2015211310.tif 000017
【図１６】
2015211310.tif 000018